【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
外部表面を有し、かつ部分的に液化されることのできる組成物層を包含する感光性要素から、凸版型を形成する方法であって、
前記外部表面に、現像媒体を供給するステップと、
基本部材に着脱可能に装着された可撓性支持部材で、感光性要素を支持して、前記感光性要素を、前記現像媒体の方向に送り出すステップと、
前記外部表面を、前記層の一部を液化させるのに十分な温度に加熱するステップと、
前記感光性要素を、前記現像媒体と接触させて、前記組成物層の液化材料の少なくとも一部を、前記現像媒体に吸収させるステップとを含むことを特徴とする方法。
【請求項２】
外部表面を有し、かつ部分的に液化することのできる組成物層を包含する感光性要素から、凸版型を形成する装置であって、
前記外部表面に現像媒体を供給する手段と、
フレーム部分に装着されるとともに、前記感光性要素を前記現像媒体に送り出すために配置された基本部材と、
前記基本部材に着脱可能に装着された可撓性支持部材と、
前記外部表面を、前記層の一部分を液化させるのに十分な温度に加熱する手段と、
前記感光性要素を前記現像媒体と接触させて、前記組成物層の液化材料の少なくとも一部分を前記現像媒体に吸収させる手段とを含むことを特徴とする装置。
【手続補正２】
【補正対象書類名】明細書
【補正対象項目名】００６６
【補正方法】変更
【補正の内容】
【００６６】
熱現像の後に、フレキソ印刷版を、任意の順序で事後露光および／または化学的または物理的に事後処理して、フレキソ印刷版の表面の粘着性をとり除く。
本発明の好適な実施形態を以下に併記する。
（１）外部表面を有し、かつ部分的に液化されることのできる組成物層を包含する感光性要素から、凸版型を形成する方法であって、前記外部表面に、現像媒体を、第１の部材を用いて供給するステップと、基本部材に着脱可能に装着された可撓性支持部材で、感光性要素を支持して、前記感光性要素を、前記現像媒体の方向に送り出すステップと、前記外部表面を、前記層の一部を液化させるのに十分な温度に加熱するステップと、前記感光性要素を、前記現像媒体と接触させて、前記組成物層の液化材料の少なくとも一部を、前記現像媒体に吸収させるステップとを含むことを特徴とする方法。
（２）前記基本部材は、ドラムであることを特徴とする（１）に記載の方法。
（３）前記可撓性支持部材に張力をかけて、前記ドラムに付けるステップをさらに含むことを特徴とする（２）に記載の方法。
（４）前記支持部材に張力をかけるステップは、前記支持部材の両端を重ね合わせるステップ、および前記両端を前記ドラム内の凹部に固定するステップを含むことを特徴とする（３）に記載の方法。
（５）前記基本部材は、平面支持体であることを特徴とする（１）に記載の方法。
（６）前記可撓性支持部材は、少なくとも１層の改質材料をさらに含むことを特徴とする（１）に記載の方法。
（７）前記改質材料は、天然ゴム類、合成ゴム類、およびエラストマー類からなる群から選択されることを特徴とする（６）に記載の方法。
（８）前記可撓性支持部材は、２つの側面を有するとともに、各側面に少なくとも１層の改質材料をさらに含むことを特徴とする（１）に記載の方法。
（９）前記可撓性支持部材の前記各側面上の層は同一であって、前記基本部材に隣接する第１の側面を反転して、前記感光性要素と接触させるステップをさらに含むことを特徴とする（８）に記載の方法。
（１０）前記基本部材に隣接する側の前記少なくとも１つの層は、熱伝達層、緩衝層、および粘着層からなる群から選択されることを特徴とする（８）に記載の方法。
（１１）前記可撓性支持部材は、弾性層、粘着性層、保護層、弾性かつ粘着性層、およびそれらの組合せからなる群から選択される少なくとも１つの層をさらに含むことを特徴とする（１）に記載の方法。
（１２）前記可撓性支持部材は、一方の側にシリコーンゴムの層と、前記シリコーンゴム層の上に粘着性層とを有するアルミニウムシートを含むことを特徴とする（１）に記載の方法。
（１３）前記感光性要素を、前記現像材料から分離させるステップをさらに含むことを特徴とする（１）に記載の方法。
（１４）前記接触させるステップは、前記感光性要素と前記現像媒体とを、前記組成物層の液化材料の少なくとも一部分が、前記現像媒体に吸収されるのに十分な圧力で押圧して接触させるステップを含むことを特徴とする（１）に記載の方法。
（１５）前記加熱するステップは、前記現像媒体が前記組成物層と接触する場所に隣接する前記層の外部表面に熱を加える第１の加熱であって、前記層の外部表面を加熱するように適合された前記第１の加熱と、前記現像媒体が前記組成物層の外部表面と接触している間に、前記第１の部材を、前記層の外部表面を加熱することのできる温度に加熱する第２の加熱と、前記基本部材を、前記組成物層の外部表面を加熱することのできる温度に加熱する第３の加熱と、第１の加熱と第２の加熱の組合せと、第１の加熱と第３の加熱の組合せと、第２の加熱と第３の加熱の組合せと、第１の加熱、第２の加熱、および第３の加熱の組合せとからなる群から選択され、第１の加熱、第２の加熱、および第３の加熱が、個々にまたは上記の組合せにおいて、前記組成物層を層の一部分を液化させるのに十分なほど、前記層の外部表面を加熱することができることを特徴とする（１）に記載の方法。
（１６）外部表面を有し、かつ部分的に液化することのできる組成物層を包含する感光性要素から、凸版型を形成する装置であって、前記外部表面に現像媒体を供給する手段と、
フレーム部分に装着されるとともに、前記感光性要素を前記現像媒体に送り出すために配置された基本部材であって、前記供給する手段の少なくとも一方と前記フレーム部分とが、他方に対して移動可能である基本部材と、前記基本部材に着脱可能に装着された可撓性支持部材と、前記外部表面を、前記層の一部分を液化させるのに十分な温度に加熱する手段と、前記感光性要素を前記現像媒体と接触させて、前記組成物層の液化材料の少なくとも一部分を前記現像媒体に吸収させる手段とを含むことを特徴とする装置。
（１７）前記基本部材は、ドラムであることを特徴とする（１６）に記載の装置。
（１８）前記可撓性支持部材に張力をかけて、前記ドラムに付ける手段をさらに備えることを特徴とする（１７）に記載の装置。
（１９）前記可撓性支持部材は、外部表面上に、弾性層、粘着性層、保護層、弾性かつ粘着性層、およびそれらの組合せからなる群から選択される層を有する担体を備えることを特徴とする（１６）に記載の装置。
（２０）前記基本部材は、平面支持体であることを特徴とする（１６）に記載の装置。
（２１）前記可撓性支持部材は、一方の側のシリコーンゴムの層と、前記シリコーンゴム層の上の粘着性層とを有するアルミニウムシートを含むことを特徴とする（１６）に記載の装置。
（２２）前記感光性要素を前記現像媒体から分離する手段をさらに備えることを特徴とする（１６）に記載の装置。
（２３）前記接触させる手段は、前記感光性要素と前記現像媒体とを、前記組成物層の液化材料の少なくとも一部分が、前記現像媒体に吸収されるのに十分な圧力で押圧して接触させる手段をさらに含むことを特徴とする（１６９に記載の装置。
（２４）前記加熱する手段は、前記現像媒体が前記組成物層と接触する場所に隣接する前記層の外部表面に熱を加える第１の加熱手段であって、前記層の外部表面を加熱するように適合された前記第１の加熱手段と、前記現像媒体が前記組成物層の外部表面と接触している間に、前記供給する手段を、前記層の外部表面を加熱することのできる温度に加熱する第２の加熱手段と、前記基本部材を、前記組成物層の外部表面を加熱することのできる温度に加熱する第３の加熱手段と、第１の加熱手段と第２の加熱手段の組合せ手段と、
第１の加熱手段と第３の加熱手段の組合せ手段と、第２の加熱手段と第３の加熱手段の組合せ手段と、第１の加熱手段、第２の加熱手段、および第３の加熱手段の組合せ手段とからなる群から選択されることを特徴とする（１６）に記載の装置。
（２５）前記可撓性支持部材は、前記感光性要素を搬送する手段を含むことを特徴とする（１６）に記載の装置。
（２６）前記可撓性支持部材は、２つの側面を有するとともに、各側面に少なくとも１層の改質材料を有することを特徴とする（１６）に記載の装置。
（２７）前記可撓性支持部材に隣接して装着された１つまたはそれ以上の追加の支持部材をさらに備えることを特徴とする（１６）に記載の装置。
（２８）前記可撓性支持部材は、シート形態または円筒形態であることを特徴とする（１６）に記載の装置。
（２９）前記可撓性支持部材は、自己支持型材料を含むことを特徴とする（１６）に記載の装置。